(57)【要約】  【課題】スロットカーレース装置のスロットレースカーをレースコース以外の平坦な路面に於いても走行を可能にする。  【解決手段】レール状のレースコース２に沿ってガイド溝4が形成され、且つ、該レースコース２を走行するスロットレースカー３に裏面より方向誘導部材１０を垂設する。そして、該方向誘導部材１０を前記レースコース２のガイド溝４に遊嵌することにより、該スロットレースカー３が該ガイド溝４に案内されて該レースコース２上を走行できるように構成したスロットカーレース装置１の該スロットレースカー３の該方向誘導部材１０を上下動に自在に該スロットレースカー３に装着する。【選択図】図８
2005237795.tif 000002
【特許請求の範囲】
【請求項１】
レール状のレースコースに沿ってガイド溝が形成され、且つ、該レースコースを走行するスロットカーにはモータが搭載されると共に、該スロットカーの裏面より方向誘導部材を垂設して該方向誘導部材を前記レースコースのガイド溝に遊嵌することにより、該スロットカーが該ガイド溝に案内されて該レースコース上を走行できるように構成したスロットカーレース装置に於いて、該スロットカーの方向誘導部材を上下動自在に該スロットカーに装着したことを特徴とするスロットカーレース装置。
【請求項２】
上記方向誘導部材は上部に設けたバーよりピンを垂設して正面視略Ｔ字状に形成され、且つ、該バーの左右両側を前記スロットカーのシャーシ前部に設けた支持部の凹部に嵌入して該方向誘導部材を上下摺動自在に支持すると共に、上方を開放した該凹部の上部を拡開して該方向誘導部材が上昇した際に、該方向誘導部材の下端部が前後に揺動できるように構成したことを特徴とする請求項１記載のスロットカーレース装置。
【請求項３】
上記方向誘導部材のバーを指示する支持部を円形のベースより立設すると共に、該ベースをスロットカー本体に対して水平方向に回動自在に装着することにより、該方向誘導部材が水平方向に回動できるように構成したことを特徴とする請求項２記載のスロットカーレース装置。
【請求項４】
上記スロットカーには、電源が搭載され、無線により方向転換が可能であることを特徴とする請求項１又は２記載のスロットカーレース装置。
【請求項５】
上記レースコースには、上記ガイド溝の無い箇所を設けたことを特徴とする請求項１記載のスロットカーレース装置。
【発明の詳細な説明】
【技術分野】
【０００１】
本発明は、スロットカーレース装置に関するものであり、特にスロットカーをガイド溝の無い場所に於いても走行可能にしたスロットカーレース装置に関するものである。
【背景技術】
【０００２】
従来此種自動車玩具のスロットカーレース装置は、レースコースが連続したトラック状に形成され、該レースコース上をスロットカーが走行できるように構成されている。又、該スロットカーにはモータが搭載されており、使用者が調節するスロットのレベルにより該モータへの電力量を調節して該スロットカーの速度をコントロールできるように構成されている。
【０００３】
一方、該レースコースには、ガイド溝が連続して該レースコースの中央部に刻設されており、該スロットカーの裏面に垂設した方向誘導部材を該レースコースのガイド溝に遊嵌できるように形成している。
【０００４】
而して、該スロットカーをレースコース上に載置すると共に、使用者がスロットを調節して電流を該スロットカーに送電することにより、該スロットカーがレースコース上を走行する。このときは、該スロットカーの裏面に垂設した方向誘導部材がレースコースのガイド溝に案内されて該スロットカーの走行を誘導するので、該スロットカーがレースコース上を走行する。（特許文献１参照）
【特許文献１】特開２００３−６２３５８公報
【発明の開示】
【発明が解決しようとする課題】
【０００５】
上述した従来のスロットカーレース装置は、スロットカーの裏面に垂設した方向誘導部材をレースコースのガイド溝に遊嵌して該スロットカーがレースコース上を走行できるように構成している。しかし、該スロットカーには、該スロットカーの裏面より方向誘導部材が垂設されて突出しているので、ガイド溝の無い場所（例えばレースコース外）に於いては、該方向誘導部材が走行面に当接して該スロットカーの走行を妨げていた。その為、レースコース上に追い抜きコース等の多種多彩のコースが設定できず、単純な周回コースで競う自動車玩具であった。
【０００６】
そこで、追い抜き等を可能にするガイド溝の無い場所に於いてもスロットカーの走行ができるようにするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、  レール状のレースコースに沿ってガイド溝が形成され、且つ、該レースコースを走行するスロットカーにはモータが搭載されると共に、該スロットカーの裏面より方向誘導部材を垂設して該方向誘導部材を前記レースコースのガイド溝に遊嵌することにより、該スロットカーが該ガイド溝に案内されて該レースコース上を走行できるように構成したスロットカーレース装置に於いて、該スロットカーの方向誘導部材を上下動自在に該スロットカーに装着したことを特徴とするスロットカーレース装置を提供する。
【０００８】
この構成によれば、レースコース上をスロットカーが走行する際には、該スロットカーの方向誘導部材が自重により下降して該方向誘導部材の下端部がレースコースのガイド溝
に遊嵌される。従って、該方向誘導部材が該ガイド溝に案内されるので、該スロットカーは方向誘導部材に誘導されてレースコース上を走行する。又、ガイド溝の無い場所（例えば、追い抜きコース）に於いては、走行面に該方向誘導部材が押圧されて該方向誘導部材が上昇するので、ガイド溝の無い平面なる走行場所に於いても、当該スロットカーを走行することができる。
【０００９】
請求項２記載の発明は、前記方向誘導部材を前記スロットカーのシャーシ前部に設けた支持部の凹部に嵌入して該方向誘導部材を上下摺動自在に支持すると共に、上方を開放した該凹部の上部を拡開して該方向誘導部材が上昇した際に、該方向誘導部材の下端部が前後に揺動できるように構成したことを特徴とする請求項１記載のスロットカーレース装置を提供する。
【００１０】
この構成によれば、ガイド溝の無い場所（例えば、追い抜きコース）の走行に於いて走行面の障害物に該方向誘導部材が衝突しても、該方向誘導部材が揺動して衝撃を吸収することができるので、レースコース外の平地走行に於いて、該スロットカーの安定なる走行が可能となる。
【００１１】
請求項３記載の発明は、前記方向誘導部材のバーを指示する支持部を円形のベースより立設すると共に、該ベースをスロットカー本体に対して水平方向に回動自在に装着することにより、該方向誘導部材が水平方向に回動できるように構成したことを特徴とする請求項２記載のスロットカーレース装置を提供する。
【００１２】
この構成によれば、方向誘導部材とレースコースとの接触による抵抗を該方向誘導部材の回動により吸収して円滑なるスロットカーの走行が可能となる。
【００１３】
請求項４記載の発明は、上記スロットカーには、電源が搭載され、無線により方向転換が可能であることを特徴とする請求項１又は２記載のスロットカーレース装置を提供するものである。
【００１４】
この構成によれば、スロツトカーには、電源（電池）が搭載され、レールから電流を供給されず、ガイド溝の無い場所でも走行することができる。また、該スロツトカーは、無線により方向転換が可能であるので、ガイド溝が無くても方向転換ができる。
請求項５記載の発明は、レースコースには、上記ガイド溝の無い箇所を設けたことを特徴とする請求項１記載のスロットカーレース装置を提供するものである。
この構成によれば、例えば追い抜きコース等の多種多彩のコース設定ができ、多彩なレース内容を構成できる。
【発明の効果】
【００１５】
請求項１の発明は、スロットカーの裏面に垂設される方向誘導部材を上下動自在に装着しているので、レースコース上を該スロットカーが走行する際には、該方向誘導部材が自重により下降して該レースコースのガイド溝に遊嵌するので、該ガイド溝にスロットカーが誘導されて該レースコース上を該スロットカーが走行することができる。
【００１６】
又、該スロットカーは、ガイド溝のない平坦な路面を走行する際には、該スロットカーの裏面に上下動自在に垂設された方向誘導部材が該路面に押圧されて上昇するので、該ガイド溝の無い場所であっても、該スロットカーの走行が可能となる。
【００１７】
このときには、ピン等にて形成されたスロットカーの方向誘導部材を取り外すことなく該スロットカーをガイド溝の無い場所にて走行させることができる。更に、ソレノイド等の動作機構も不要であるため、スロットカーのコストの低減と小型化にも寄与できるとい
う利点がある。
【００１８】
請求項２の発明は、前記方向誘導部材を上部のバーよりピンを垂設してＴ字状に形成している。そして、該方向誘導部材のバーの左右両側をスロットカー本体に形成した支持部の凹部に嵌入して該方向誘導部材を上下動自在に支持している。更に、該支持部の上方を開放された凹部の上部を拡開して該方向誘導部材が上昇した際に、該方向誘導部材が前後に揺動できるように形成されている。
【００１９】
而して、該スロットカーがレースコース上を走行するときには、該スロットカーの方向誘導部材が下降して該レースコースのガイド溝に挿入される。従って、該ガイド溝に該スロットカーが案内されるので、該スロットカーは該レースコース上を走行することができる。又、該スロットカーがガイド溝の無い場所を走行する際には、路面に該方向誘導部材が押圧されて上昇するので該方向誘導部材が走行の妨げとなることを防止している。
【００２０】
そして、該スロットカーがガイド溝の無い平坦な路面を走行するときには、上昇した方向誘導部材が前後に揺動して路面との摩擦を吸収するので、ガイド溝の無い平坦な路面の走行、即ち、普通走行を円滑に為すことができるという利点がある。
【００２１】
請求項３記載の発明は、前記スロットカーの方向誘導部材を支持する支持部を円形のベースに形成し、且つ、該ベースを該スロットカー本体に対して水平方向回動自在に装着している。従って、該スロットカーがレースコース上を走行する際、該スロットカーの方向誘導部材が該レースコースのガイド溝に接触したときに、該ベースが回動して方向誘導部材とレースコースとの摩擦力を吸収する。従って、当該スロットカーの円滑なる走行が可能となる。更に、該スロットカーのガイド溝の無い平坦な路面の走行、即ち、普通走行時に於いても前述と同様にベースの回動に連動してスロットカーの方向誘導部材が回動し、路面と該方向誘導部材との摩擦力を吸収して円滑なる走行を実現できるという利点がある。
【００２２】
請求項４記載の発明は、前記スロツトカーには、電池が搭載され、ラジオコントロールカー（ラジコンカー）に無線操作により方向転換を可能としている。従って、ガイド溝の無い場所で、走行及び方向転換を実現できるという利点がある。
【００２３】
請求項５記載の発明は、該レースコースにガイド溝の無い箇所（コース）を設けることにより、多種多彩のコース設定ができ、多彩なレース内容を構成できるという利点がある。
【発明を実施するための最良の形態】
【００２４】
本発明は、スロットカーレース装置のスロットカー裏面より垂設する方向誘導部材を上下動自在に装着している。そして、該スロットカーのレースコース上の走行時に於いては、該スロットカーの方向誘導部材が下降して該レースコースのガイド溝に遊嵌するので、該スロットカーをレースコースに沿って誘導して該スロットカーのレースコース走行が可能となる。
【００２５】
又、ガイド溝の無い平坦な路面に於いては、該スロットカーより下方へ突出して該スロットカーを誘導する方向誘導部材が該路面に押圧されて上昇するので、該スロットカーのガイド溝の無い平坦な路面の走行、即ち、普通走行が可能となる。従って、該スロットカーはレースコース走行及び、ガイド溝の無い平坦な路面に於ける走行、即ち普通走行の双方を可能とした。
【実施例１】
【００２６】
以下、本発明の一実施例を図１乃至図１２に従って説明する。
【００２７】
図1は、本発明に係るスロットカーレース装置１の平面図であり、トラック状のレースコース２上をスロットカー３,３が走行している。該レースコース２の中央には、ガイド溝４が該レースコース２に沿って刻設されており、該ガイド溝４に案内されて該スロットカー３が該レースコース２上を走行できるように構成している。
【００２８】
該スロットカー３は、図２に示すように、シャーシ５の前部に前輪６，６が装着されると共に、該シャーシ５の後部には、後輪７，７が装着されている。そして、該後輪７，７はギア８を介してモータ９により駆動できるように構成されている。また、スロットカー３は、従来のスロットカーがレールから電力を供給されるのに対し、２個の電池２０を搭載し、この電池２０によって電力が供給され、後述するレースコース２のガイド溝４の無い箇所で走行可能としている。更に、スロットカー３は、ラジコンカーのように無線操作によって方向転換ができ、後述するレースコース２のガイド溝４の無い箇所で追い抜き等の操作を可能としている。  
【００２９】
一方、該スロットカー３の前部には方向誘導部材１０が装着されている。該方向誘導部材１０は、図３に示すように、バー１１の中央よりピン１１aを垂設して正面視略Ｔ字状に形成されている。そして、図４はスロットカー３に方向誘導部材１０を装着した状態を示す要部の縦断正面図であり、同図に示すように、スロットカー３の前部に形成された支持部１２，１２の凹部１３，１３に該方向誘導部材１０のバー１１の左右両側を嵌入して該方向誘導部材１０をスロットカー２より上下動自在に垂設している。
【００３０】
図５は該支持部１２，１２に該方向誘導部材１０を嵌入した状態を示す要部の縦断側面図であり、同図に示すように、該支持部１２，１２に方向誘導部材１０を嵌入した状態に於いては、方向誘導部材１０の前後左右の移動が規制される。更に、図６に示すように、該支持部１２，１２の凹部１３，１３は上方に向かって開放されており、且つ、該凹部１３，１３の上部を拡開して形成されている。従って、該方向誘導部材１０が上昇した際には、該方向誘導部材１０のバー１１に対する前後動の規制が解除され、該方向誘導部材１０の下端部が前後に揺動できるように形成されている。又、前記スロットカー３の支持部１２，１２は円形のベース１４に一体成形されて立設されており、該ベース１４は前記シャーシ５に水平方向回動自在に装着されている。
【００３１】
而して、前記スロットカー３を前記レースコース２上に搭載して走行する際には、該方向誘導部材１０が上下動自在に構成されているので、該方向誘導部材１０は自重により下降して該スロットカー３の裏面より突出し、且つ、該レースコース２のガイド溝４に遊嵌する。従って、該方向誘導部材１０が該ガイド溝４内を走行するので、前記スロットカー３はレースコース２上を走行する。又、該レースコース２上をスロットカー３が走行する際には、前記ベース１４が回動し、且つ、該方向誘導部材１０が該ベース１４と連動して回動するので、該方向誘導部材１０とガイド溝４との摩擦抵抗を低減させることができる。従って、該スロットカー３の円滑なる走行を実現している。
【００３２】
更に、該スロットカー３を後述するレースコース２のガイド溝４の無い箇所にて走行する際には、図８に示すように、路面が該スロットカー３の方向誘導部材１０を押圧して該方向誘導部材１０が上昇する。従って、該方向誘導部材１０は、後述するレースコース２のガイド溝４の無い箇所に於ける普通走行の際にも、該方向誘導部材１０が該走行の妨げとなることはないので、円滑なる普通走行が可能となる。更に、図９に示すように、該方向誘導部材１０は上昇した際に揺動できるように構成されているので、路面と該方向誘導部材１０との接触による摩擦抵抗を吸収することができる。又、該スロットカー３のレースコース２上での走行のときと同様に、前記ベース１４が回動して平坦な路面に於ける抵
抗を吸収し、円滑な普通走行が一層助成される。
【００３３】
図１に於いて、符号１５はレースコース２のフリー走行部であり、ガイド溝４が形成されていないため、自由に走行位置を変更でき、追い抜き等を可能にしている。また、符号１６はレースコース２のエントリー部であり、前記スロットカー３をガイド溝４の無い該レースコース２外から走行させて、該レースコース２の走行へ参加させることができる。このエントリー部１５は傾斜して形成され、該レースコース２の段差を吸収している。又、該エントリー部１５のガイド溝４aは外側に向かってテーパ上に拡開して形成されると共に、該ガイド溝４aの深度も傾斜して形成しているので、該スロットカー３の容易なるエントリーを可能にしている。
【００３４】
尚、本発明は、本発明の精神を逸脱しない限り改変を為すことができ、そして、本発明が該改変されたものに及ぶことは当然である。
【図面の簡単な説明】
【００３５】
【図１】スロットカーレース装置の平面図。
【図２】スロットカーの平面図。
【図３】方向誘導部材の正面図。
【図４】スロットカーに方向誘導部材を装着した状態を示す要部の縦断正面図。
【図５】シャーシに支持部が装着された状態を示す要部の縦断正面図。
【図６】シャーシに支持部が装着された状態を示す要部の縦断側面図。
【図７】スロットカーがレースコース上を走行する状態を示す解説図。
【図８】スロットカーが平坦な路面を走行する状態を示す解説図。
【図９】スロットカーが平坦な路面を走行して方向誘導部材が揺動する状態を示す解説図。
【符号の説明】
【００３６】
１            スロットカーレース装置
２            レースコース
３            スロットカー
４，４ａ      ガイド溝
５            シャーシ
９            モータ
１０，１０ａ  方向誘導部材
１１          バー
１１ａ        ピン
１２          支持部
１３          凹部
１４          ベース
２０          電池
【図１】
2005237795.tif 000003
【図２】
2005237795.tif 000004
【図３】
2005237795.tif 000005
【図４】
2005237795.tif 000006
【図５】
2005237795.tif 000007
【図６】
2005237795.tif 000008
【図７】
2005237795.tif 000009
【図８】
2005237795.tif 000010
【図９】
2005237795.tif 000011